(57)【要約】【課題】ブックマーク登録された映像コンテンツまたは映像コンテンツに含まれる個別の映像シーンに関係するメタデータを効率的に利用して、当該映像コンテンツまたは映像コンテンツに含まれる個別の映像シーンに関連する一群のメタデータの価値を計ることを可能にする。【解決手段】複数の端末装置１１０における、映像コンテンツまたは映像コンテンツに含まれる個別の映像シーンに対するブックマーク登録やブックマークを利用した再度の閲覧等に関する操作状況を表す情報を、閲覧状況分析サーバ１２０で収集し、該収集した情報に基づいて、所定項目の情報を分析し端末装置１１０で登録された各ブックマークにそれぞれ対応する映像コンテンツまたは映像コンテンツに含まれる個別の映像シーンの各一連のメタデータ群としての各個のブックマーク枠をそれぞれ形成し、このブックマーク枠の商品価値に注目して、ブックマーク枠毎に利用料金を設定する。【選択図】図２
2010286970.tif 000002
【特許請求の範囲】
【請求項１】
映像コンテンツの閲覧機能を有する複数の端末装置と、前記複数の端末装置へ映像コンテンツとメタデータとを放送網または通信網を通して配信する配信管理サーバと、前記複数の端末装置から映像コンテンツまたは映像コンテンツに含まれる個別の映像シーンの登録または閲覧に関係する情報の提供を受けて前記端末装置における映像コンテンツまたは映像コンテンツに含まれる個別の映像シーンの登録状況および閲覧状況を分析する閲覧状況分析サーバとが通信網によって結ばれ、前記閲覧分析サーバが前記複数の端末装置における映像コンテンツまたは映像コンテンツに含まれる個別の映像シーンのブックマーク登録状況および閲覧状況を分析する閲覧状況分析システムであって、
前記端末装置は、
外部から放送を受信する端末受信部と、
外部との通信を行う端末通信部と、
前記端末受信部を通して前記放送網側から提供され、または、前記端末通信部を通して前記通信網側から提供される映像コンテンツまたは映像コンテンツに含まれる個別の映像シーンを閲覧するための映像閲覧再生部と、
前記映像閲覧再生部によって閲覧した任意の映像コンテンツまたは映像コンテンツに含まれる個別の映像シーンに対応するブックマーク登録操作を行うブックマーク登録操作部と、
当該ブックマーク登録した映像コンテンツまたは映像コンテンツに含まれる個別の映像シーンをブックマークにより指定して閲覧する操作を行うブックマークコンテンツ閲覧操作部と、
自装置が既定の情報提供条件に該当する状況にあるか否かを識別する情報提供条件該当識別部と、
前記情報提供条件該当識別部が該情報提供条件に該当することを識別したときには前記映像コンテンツまたは映像コンテンツに含まれる個別の映像シーンのブックマーク登録状況および閲覧状況に関係する所定項目の情報を前記端末通信部を通して前記閲覧状況分析サーバに提供する情報提供制御部と、を含んで構成され、
前記閲覧状況分析サーバは、
外部との通信を行うサーバ通信部と、
前記端末装置に前記ブックマーク登録操作に関連する所定項目の情報の提供を要求する条件である情報提供条件を前記サーバ通信部を通して前記端末装置に通知する情報提供条件通知部と、
前記端末装置から前記サーバ通信部を通して提供された前記所定項目の情報を分析し前記端末装置で登録された各ブックマークにそれぞれ対応する映像コンテンツまたは映像コンテンツに含まれる個別の映像シーンの各一連のメタデータ群としての各個のブックマーク枠をそれぞれ形成するブックマーク枠形成部と、を含んで構成されていることを特徴とする閲覧状況分析システム。
【請求項２】
映像コンテンツの閲覧機能を有する複数の端末装置と、前記複数の端末装置から映像コンテンツまたは映像コンテンツに含まれる個別の映像シーンの閲覧に関係する情報の提供を受けて前記端末装置におけるコンテンツの閲覧状況を分析する閲覧状況分析サーバとが通信網によって結ばれ、前記サーバが前記複数の端末装置における映像コンテンツまたは映像コンテンツに含まれる個別の映像シーンの閲覧状況を分析する閲覧状況分析システムに適用される端末装置であって、
外部から放送を受信する端末受信部と、
外部との通信を行う端末通信部と、
前記端末受信部を通して前記放送網側から提供され、または、前記端末通信部を通して前記通信網側から提供される映像コンテンツまたは映像コンテンツに含まれる個別の映像シーンを閲覧するための映像閲覧再生部と、
前記映像閲覧再生部によって閲覧した任意の映像コンテンツまたは映像コンテンツに含まれる個別の映像シーンに対応するブックマーク登録操作を行うブックマーク登録操作部と、
当該ブックマーク登録した映像コンテンツまたは映像コンテンツに含まれる個別の映像シーンをブックマークにより指定して閲覧する操作を行うブックマークコンテンツ閲覧操作部と、
自装置が既定の情報提供条件に該当する状況にあるか否かを識別する情報提供条件該当識別部と、
前記情報提供条件該当識別部が該情報提供条件に該当することを識別したときには前記映像コンテンツまたは映像コンテンツに含まれる個別の映像シーンの登録状況および閲覧状況に関係する所定項目の情報を前記端末通信部を通して前記閲覧状況分析サーバに提供する情報提供制御部と、を含んで構成されていることを特徴とする端末装置。
【請求項３】
前記情報提供制御部は、前記ブックマークコンテンツ登録操作部における登録操作の実行状況および前記ブックマークコンテンツ閲覧操作部における閲覧操作の実行状況のうちの少なくとも何れかの実行状況を表すデータを含む端末操作データを前記所定項目のうちの一の情報として前記端末通信部を通して前記閲覧状況分析サーバに提供することを特徴とする請求項２に記載の端末装置。
【請求項４】
前記情報提供制御部は、前記端末操作データにより表された当該登録操作の実行状況および当該閲覧操作の実行状況の少なくとも何れかの実行状況に係る前記映像コンテンツまたは映像コンテンツに含まれる個別の映像シーンに附帯するメタデータ群を前記所定項目のうちの他の一の情報として前記端末通信部を通して前記閲覧状況分析サーバに提供することを特徴とする請求項３に記載の端末装置。
【請求項５】
映像コンテンツの閲覧機能を有する複数の端末装置と前記複数の端末装置から映像コンテンツまたは映像コンテンツに含まれる個別の映像シーンの閲覧に関係する情報の提供を受けて前記端末装置における映像コンテンツまたは映像コンテンツに含まれる個別の映像シーンのブックマーク登録状況および閲覧状況を分析する閲覧状況分析サーバとが通信網によって結ばれ前記閲覧状況分析サーバが前記複数の端末装置における映像コンテンツまたは映像コンテンツに含まれる個別の映像シーンの登録状況および閲覧状況を分析する閲覧状況分析システムに適用される閲覧状況分析サーバであって、
外部との通信を行うサーバ通信部と、
前記端末装置に、前記ブックマーク登録操作に関連する所定項目の情報および前記閲覧操作に関連する所定項目の情報を提供させる条件である情報提供条件を前記端末装置に通知する情報提供条件通知部と、
前記端末装置から提供された前記所定項目の情報を分析し前記端末装置で登録された各ブックマークにそれぞれ対応する映像コンテンツまたは映像コンテンツに含まれる個別の映像シーンの各一連のメタデータ群としての各個のブックマーク枠をそれぞれ形成するブックマーク枠形成部と、を含んで構成されていることを特徴とする閲覧状況分析サーバ。
【請求項６】
前記ブックマーク枠形成部は、形成したブックマーク枠に属する映像コンテンツまたは映像コンテンツに含まれる個別の映像シーンに附帯するメタデータ群のうちの何れか一または複数のメタデータに対応する商品もしくは販促情報または解説情報を選択し、該選択した商品もしくは販促情報または解説情報を表すＩＤを当該ブックマーク枠に対応付けることを特徴とする請求項５に記載の閲覧状況分析サーバ。
【請求項７】
前記ブックマーク枠形成部は、当該ブックマーク枠に対応付けた商品もしくは販促情報または解説情報を表すＩＤに、当該ブックマーク枠に属する映像コンテンツ中または映像コンテンツに含まれる個別の映像シーン中の該当商品もしくは販促情報または解説情報を前記端末装置において強調表示させるための強調表示用メタデータを更に対応付けることを特徴とする請求項６に記載の閲覧状況分析サーバ。
【請求項８】
前記ブックマーク枠形成部は、当該ブックマーク枠に属する映像コンテンツまたは映像コンテンツに含まれる個別の映像シーンのメタデータとして、前記端末装置による当該映像コンテンツまたは映像コンテンツに含まれる個別の映像シーンのブックマーク登録ないし閲覧に関係する操作態様を表す端末操作データを含むようにしてブックマーク枠を形成することを特徴とする請求項５に記載の閲覧状況分析サーバ。
【請求項９】
前記ブックマーク枠形成部は、当該端末操作データとして、前記端末装置による当該映像コンテンツまたは映像コンテンツに含まれる個別の映像シーンの登録回数、登録時期、登録地点、端末装置での登録形態、閲覧回数、閲覧時期、および、閲覧地点の何れかを含むようにしてブックマーク枠を形成することを特徴とする請求項８に記載の閲覧状況分析サーバ。
【請求項１０】
前記ブックマーク枠に属するメタデータに基づいてブックマーク枠毎の利用料金を算定する第１の利用料金算定部を備えたことを特徴とする請求項５に記載の閲覧状況分析サーバ。
【請求項１１】
前記ブックマーク枠に関する映像コンテンツまたは映像コンテンツに含まれる個別の映像シーンの登録履歴ないし閲覧履歴に基づいてブックマーク枠毎の利用料金を算定する第２の利用料金算定部を備えたことを特徴とする請求項５に記載の閲覧状況分析サーバ。
【請求項１２】
前記ブックマーク枠形成部は、形成したブックマーク枠に属する映像コンテンツまたは映像コンテンツに含まれる個別の映像シーンに関するブックマーク登録の頻度または閲覧の頻度と既知の相関を有する操作頻度指標を生成することを特徴とする請求項５に記載の閲覧状況分析サーバ。
【請求項１３】
前記ブックマーク枠形成部が形成したブックマーク枠を、該ブックマーク枠に属する映像コンテンツまたは映像コンテンツに含まれる個別の映像シーンに対し前記操作頻度指標を利用して外部から選択的にアクセス可能に保持するブックマーク枠データベースを備えたことを特徴とする請求項１２に記載の閲覧状況分析サーバ。
【請求項１４】
前記ブックマーク枠形成部は、形成したブックマーク枠に属する映像コンテンツまたは映像コンテンツに含まれる個別の映像シーンに対応する地理情報を生成することを特徴とする請求項５に記載の閲覧状況分析サーバ。
【請求項１５】
前記ブックマーク枠形成部が形成したブックマーク枠を、該ブックマーク枠に属する映像コンテンツまたは映像コンテンツに含まれる個別の映像シーンに対し前記地理情報を利用して外部から選択的にアクセス可能に保持するブックマーク枠データベースを備えたことを特徴とする請求項１４に記載の閲覧状況分析サーバ。
【発明の詳細な説明】
【技術分野】
【０００１】
本発明は、映像コンテンツの閲覧機能を有する複数の端末装置と前記複数の端末装置から映像コンテンツの閲覧に関係する情報の提供を受けて前記端末装置におけるコンテンツの閲覧状況を分析する閲覧状況分析サーバとが通信網によって結ばれ前記サーバが前記複数の端末装置における映像コンテンツの閲覧状況を分析する閲覧状況分析システム、この閲覧状況分析システムに適用する端末装置、および、閲覧状況分析サーバ関する。
【背景技術】
【０００２】
電子広告の閲覧による購入実績と広告料金の課金とを関連付け、広告主にとって広告効果に応じた広告料金の課金が受けられるようにしようとする電子広告システムの提案がある（例えば、特許文献１参照）。
この特許文献１の提案では、購入者の端末装置から情報提供サーバにアクセスして電子広告を閲覧すると、購入者は電子クーポンサーバからクーポンＩＤを取得できるようにシステムが構築される。そして、購入者がこのクーポンＩＤを利用して販売業者から商品を購入する都度上記電子クーポンサーバに当該クーポンＩＤが送信されるようにして、電子クーポンサーバにおいて商品購入実績を把握し、購入実績に応じて、広告主である販売業者への課金が行われ得るようにしている。
【０００３】
また一方、動画像を含む広告情報をＵＲＩ（Uniform Resource Identifier）に対応付けてサーバに登録し、且つ、このＵＲＩを関連記事の近傍に印刷しておき、利用者が情報端末装置を用いてこのＵＲＩを読取って上記のサーバに送信すると、該サーバから利用者の情報端末装置に広告情報を含むコンテンツが供給されるようにした電子広告システムの提案がある（例えば、特許文献２参照）。
この特許文献２には、上記のサーバへのアクセス数に応じて広告主への課金を差別化しようとする開示がある。
【先行技術文献】
【特許文献】
【０００４】
【特許文献１】特開２００２−２３６８４２号公報（請求項１、段落０００５等）
【特許文献２】特開２００１−１８４１４１号公報（請求項１１〜請求項１４等）
【発明の概要】
【発明が解決しようとする課題】
【０００５】
ところで、近年、通信網を介して所望の映像を端末装置を用いて閲覧し、該閲覧した映像のうち、閲覧者の嗜好に適った映像や有益と思われる映像にブックマーク登録を行って、再度の閲覧に便ならしめるといった映像コンテンツの利用方法が普及している。
また一方、上述のような映像コンテンツは極めて多様なメタデータを伴なっていることが多く、これらのメタデータを有効に活用すれば、ブックマーク登録された映像コンテンツに関連する一群のメタデータついて、或る価値基準からみたときの価値の多寡（例えば、商業的価値の程度）をメタデータに依拠して評価することもできる可能性がある。
【０００６】
しかしながら、昨今の映像コンテンツは極めて多岐に及ぶ視点から大量のメタデータが対応付けられており、ブックマーク登録された映像コンテンツに関係するメタデータを効率的に利用して、当該映像コンテンツに関連する一群のメタデータの価値の多寡を計ることを可能にする具体的且つ有効な方途は未だ見出されていない。
上掲の特許文献１および特許文献２に所載の提案でも、特に、上述のような方途を探ろうとする視点が無く、従って、このような課題に対応する手段は開示されていない。
【０００７】
本発明は上述のような状況に鑑みてなされたものであり、ブックマーク登録された映像コンテンツまたは映像コンテンツに含まれる個別の映像シーンに関係するメタデータを効率的に利用して、当該映像コンテンツまたは映像コンテンツに含まれる個別の映像シーンに関連する一群のメタデータの価値を計ることを可能にする具体的且つ有効な閲覧状況分析システム、端末装置、および、閲覧状況分析サーバを提供することを目的とする。
【課題を解決するための手段】
【０００８】
上記課題を解決するために、茲に、以下に列記する技術を提案する。尚、周知の通り、このブックマーク機能とは、閲覧中のページを後日再度閲覧できるように、閲覧中のページのＵＲＬ（Uniform resource Locator）を保存（登録）しておく機能のことである。このブックマーク機能を用いれば、一度閲覧したページを簡単な操作で再度閲覧することが可能となる。ブックマークの登録は、ＷＷＷブラウザで所謂お気に入りに登録することと略同義であるが、以下の記述においては、総じてブックマークの語を用いている。
【０００９】
（１）映像コンテンツの閲覧機能を有する複数の端末装置と、前記複数の端末装置へ映像コンテンツとメタデータとを放送網または通信網を通して配信する配信管理サーバと、前記複数の端末装置から映像コンテンツまたは映像コンテンツに含まれる個別の映像シーンの登録または閲覧に関係する情報の提供を受けて前記端末装置における映像コンテンツまたは映像コンテンツに含まれる個別の映像シーンの登録状況および閲覧状況を分析する閲覧状況分析サーバとが通信網によって結ばれ、前記閲覧分析サーバが前記複数の端末装置における映像コンテンツまたは映像コンテンツに含まれる個別の映像シーンのブックマーク登録状況および閲覧状況を分析する閲覧状況分析システムであって、
前記端末装置は、
外部から放送を受信する端末受信部と、
外部との通信を行う端末通信部と、
前記端末受信部を通して前記放送網側から提供され、または、前記端末通信部を通して前記通信網側から提供される映像コンテンツまたは映像コンテンツに含まれる個別の映像シーンを閲覧するための映像閲覧再生部と、
前記映像閲覧再生部によって閲覧した任意の映像コンテンツまたは映像コンテンツに含まれる個別の映像シーンに対応するブックマーク登録操作を行うブックマーク登録操作部と、
当該ブックマーク登録した映像コンテンツまたは映像コンテンツに含まれる個別の映像シーンをブックマークにより指定して閲覧する操作を行うブックマークコンテンツ閲覧操作部と、
自装置が既定の情報提供条件に該当する状況にあるか否かを識別する情報提供条件該当識別部と、
前記情報提供条件該当識別部が該情報提供条件に該当することを識別したときには前記映像コンテンツまたは映像コンテンツに含まれる個別の映像シーンのブックマーク登録状況および閲覧状況に関係する所定項目の情報を前記端末通信部を通して前記閲覧状況分析サーバに提供する情報提供制御部と、を含んで構成され、
前記閲覧状況分析サーバは、
外部との通信を行うサーバ通信部と、
前記端末装置に前記ブックマーク登録操作に関連する所定項目の情報の提供を要求する条件である情報提供条件を前記サーバ通信部を通して前記端末装置に通知する情報提供条件通知部と、
前記端末装置から前記サーバ通信部を通して提供された前記所定項目の情報を分析し前記端末装置で登録された各ブックマークにそれぞれ対応する映像コンテンツまたは映像コンテンツに含まれる個別の映像シーンの各一連のメタデータ群としての各個のブックマーク枠をそれぞれ形成するブックマーク枠形成部と、を含んで構成されていることを特徴とする閲覧状況分析システム。
【００１０】
上記（１）の閲覧状況分析システムは、複数の端末装置と、配信管理サーバと、閲覧状況分析サーバとが通信網によって結ばれ、前記閲覧分析サーバが前記複数の端末装置における映像コンテンツまたは映像コンテンツに含まれる個別の映像シーンのブックマーク登録状況および閲覧状況を分析する。
前記端末装置は、映像コンテンツの閲覧機能を有し、その端末受信部が外部から放送を受信し、また、その端末通信部が、外部との通信を行う。更に、映像閲覧再生部が前記端末受信部を通して前記放送網側から提供され、または、前記端末通信部を通して前記通信網側から提供される映像コンテンツまたは映像コンテンツに含まれる個別の映像シーンを再生してこれらの閲覧を可能にする。
【００１１】
また、そのブックマーク登録操作部が、前記映像閲覧再生部によって閲覧した任意の映像コンテンツまたは映像コンテンツに含まれる個別の映像シーンに対応するブックマーク登録操作を可能にする。
更にまた、そのブックマークコンテンツ閲覧操作部が、当該ブックマーク登録した映像コンテンツまたは映像コンテンツに含まれる個別の映像シーンをブックマークにより指定して閲覧する操作を可能にする。
【００１２】
また、その情報提供条件該当識別部が、自装置が既定の情報提供条件に該当する状況にあるか否かを識別する。更に、情報提供制御部が、前記情報提供条件該当識別部が該情報提供条件に該当することを識別したときには前記映像コンテンツまたは映像コンテンツに含まれる個別の映像シーンのブックマーク登録状況および閲覧状況に関係する所定項目の情報を前記端末通信部を通して前記閲覧状況分析サーバに提供する。
前記配信管理サーバは、前記複数の端末装置へ映像コンテンツとメタデータとを放送網または通信網を通して配信する。
【００１３】
前記閲覧状況分析サーバは、そのサーバ通信部で外部との通信を行う。また、その情報提供条件通知部により、前記端末装置に前記ブックマーク登録操作に関連する所定項目の情報の提供を要求する条件である情報提供条件を前記サーバ通信部を通して前記端末装置に通知する。
更に、そのブックマーク枠形成部で、前記端末装置から前記サーバ通信部を通して提供された前記所定項目の情報を分析し前記端末装置で登録された各ブックマークにそれぞれ対応する映像コンテンツまたは映像コンテンツに含まれる個別の映像シーンの各一連のメタデータ群としての各個のブックマーク枠をそれぞれ形成する。
【００１４】
（２）映像コンテンツの閲覧機能を有する複数の端末装置と、前記複数の端末装置から映像コンテンツまたは映像コンテンツに含まれる個別の映像シーンの閲覧に関係する情報の提供を受けて前記端末装置におけるコンテンツの閲覧状況を分析する閲覧状況分析サーバとが通信網によって結ばれ、前記サーバが前記複数の端末装置における映像コンテンツまたは映像コンテンツに含まれる個別の映像シーンの閲覧状況を分析する閲覧状況分析システムに適用される端末装置であって、
外部から放送を受信する端末受信部と、
外部との通信を行う端末通信部と、
前記端末受信部を通して前記放送網側から提供され、または、前記端末通信部を通して前記通信網側から提供される映像コンテンツまたは映像コンテンツに含まれる個別の映像シーンを閲覧するための映像閲覧再生部と、
前記映像閲覧再生部によって閲覧した任意の映像コンテンツまたは映像コンテンツに含まれる個別の映像シーンに対応するブックマーク登録操作を行うブックマーク登録操作部と、
当該ブックマーク登録した映像コンテンツまたは映像コンテンツに含まれる個別の映像シーンを閲覧する操作を行うブックマークコンテンツ閲覧操作部と、
自装置が既定の情報提供条件に該当する状況にあるか否かを識別する情報提供条件該当識別部と、
前記情報提供条件該当識別部が該情報提供条件に該当することを識別したときには前記映像コンテンツまたは映像コンテンツに含まれる個別の映像シーンの登録状況および閲覧状況に関係する所定項目の情報を前記端末通信部を通して前記閲覧状況分析サーバに提供する情報提供制御部と、を含んで構成されていることを特徴とする端末装置。
【００１５】
上記（２）の端末装置は、映像コンテンツの閲覧機能を有する複数の端末装置と、前記複数の端末装置から映像コンテンツまたは映像コンテンツに含まれる個別の映像シーンの閲覧に関係する情報の提供を受けて前記端末装置におけるコンテンツの閲覧状況を分析する閲覧状況分析サーバとが通信網によって結ばれ、前記サーバが前記複数の端末装置における映像コンテンツまたは映像コンテンツに含まれる個別の映像シーンの閲覧状況を分析する閲覧状況分析システムに適用される。
そして、その端末受信部で、外部から放送を受信し、また、その端末通信部で外部との通信を行う。
【００１６】
更に、その映像閲覧再生部で、前記端末受信部を通して前記放送網側から提供され、または、前記端末通信部を通して前記通信網側から提供される映像コンテンツまたは映像コンテンツに含まれる個別の映像シーンを再生してこれらの閲覧を可能にする。
また、そのブックマーク登録操作部が、前記映像閲覧再生部によって閲覧した任意の映像コンテンツまたは映像コンテンツに含まれる個別の映像シーンに対応するブックマーク登録操作を可能にする。
更にまた、そのブックマークコンテンツ閲覧操作部が、当該ブックマーク登録した映像コンテンツまたは映像コンテンツに含まれる個別の映像シーンをブックマークにより指定して閲覧する操作を可能にする。
【００１７】
また、その情報提供条件該当識別部が、自装置が既定の情報提供条件に該当する状況にあるか否かを識別する。更に、情報提供制御部が、前記情報提供条件該当識別部が該情報提供条件に該当することを識別したときには前記映像コンテンツまたは映像コンテンツに含まれる個別の映像シーンのブックマーク登録状況および閲覧状況に関係する所定項目の情報を前記端末通信部を通して前記閲覧状況分析サーバに提供する。
【００１８】
（３）前記情報提供制御部は、前記ブックマークコンテンツ登録操作部における登録操作の実行状況および前記ブックマークコンテンツ閲覧操作部における閲覧操作の実行状況のうちの少なくとも何れかの実行状況を表すデータを含む端末操作データを前記所定項目のうちの一の情報として前記端末通信部を通して前記閲覧状況分析サーバに提供することを特徴とする（２）の端末装置。
上記（３）の端末装置は、（２）の端末装置において特に、前記情報提供制御部は、前記ブックマークコンテンツ登録操作部における登録操作の実行状況および前記ブックマークコンテンツ閲覧操作部における閲覧操作の実行状況のうちの少なくとも何れかの実行状況を表すデータを含む端末操作データを前記所定項目のうちの一の情報として前記端末通信部を通して前記閲覧状況分析サーバに提供する。
【００１９】
（４）前記情報提供制御部は、前記端末操作データにより表された当該登録操作の実行状況および当該閲覧操作の実行状況の少なくとも何れかの実行状況に係る前記映像コンテンツまたは映像コンテンツに含まれる個別の映像シーンに附帯するメタデータ群を前記所定項目のうちの他の一の情報として前記端末通信部を通して前記閲覧状況分析サーバに提供することを特徴とする（３）の端末装置。
上記（４）の端末装置では、（３）の端末装置において特に、前記情報提供制御部は、前記端末操作データにより表された当該登録操作の実行状況および当該閲覧操作の実行状況の少なくとも何れかの実行状況に係る前記映像コンテンツまたは映像コンテンツに含まれる個別の映像シーンに附帯するメタデータ群を前記所定項目のうちの他の一の情報として前記端末通信部を通して前記閲覧状況分析サーバに提供する。
【００２０】
（５）映像コンテンツの閲覧機能を有する複数の端末装置と前記複数の端末装置から映像コンテンツまたは映像コンテンツに含まれる個別の映像シーンの閲覧に関係する情報の提供を受けて前記端末装置における映像コンテンツまたは映像コンテンツに含まれる個別の映像シーンのブックマーク登録状況および閲覧状況を分析する閲覧状況分析サーバとが通信網によって結ばれ前記閲覧状況分析サーバが前記複数の端末装置における映像コンテンツまたは映像コンテンツに含まれる個別の映像シーンの登録状況および閲覧状況を分析する閲覧状況分析システムに適用される閲覧状況分析サーバであって、
外部との通信を行うサーバ通信部と、
前記端末装置に、前記ブックマーク登録操作に関連する所定項目の情報および前記閲覧操作に関連する所定項目の情報を提供させる条件である情報提供条件を前記端末装置に通知する情報提供条件通知部と、
前記端末装置から提供された前記所定項目の情報を分析し前記端末装置で登録された各ブックマークにそれぞれ対応する映像コンテンツまたは映像コンテンツに含まれる個別の映像シーンの各一連のメタデータ群としての各個のブックマーク枠をそれぞれ形成するブックマーク枠形成部と、を含んで構成されていることを特徴とする閲覧状況分析サーバ。
【００２１】
上記（５）の閲覧状況分析サーバは、映像コンテンツの閲覧機能を有する複数の端末装置と前記複数の端末装置から映像コンテンツまたは映像コンテンツに含まれる個別の映像シーンの閲覧に関係する情報の提供を受けて前記端末装置における映像コンテンツまたは映像コンテンツに含まれる個別の映像シーンのブックマーク登録状況および閲覧状況を分析する閲覧状況分析サーバとが通信網によって結ばれ前記閲覧状況分析サーバが前記複数の端末装置における映像コンテンツまたは映像コンテンツに含まれる個別の映像シーンの登録状況および閲覧状況を分析する閲覧状況分析システムに適用される。
【００２２】
そして、そのサーバ通信部で、外部との通信を行う。また、その情報提供条件通知部で、前記端末装置に、前記ブックマーク登録操作に関連する所定項目の情報および前記閲覧操作に関連する所定項目の情報を提供させる条件である情報提供条件を前記端末装置に通知する。
更に、ブックマーク枠形成部で、前記端末装置から提供された前記所定項目の情報を分析し前記端末装置で登録された各ブックマークにそれぞれ対応する映像コンテンツまたは映像コンテンツに含まれる個別の映像シーンの各一連のメタデータ群としての各個のブックマーク枠をそれぞれ形成する。
【００２３】
（６）前記ブックマーク枠形成部は、形成したブックマーク枠に属する映像コンテンツまたは映像コンテンツに含まれる個別の映像シーンに附帯するメタデータ群のうちの何れか一または複数のメタデータに対応する商品もしくは販促情報または解説情報を選択し、該選択した商品もしくは販促情報または解説情報を表すＩＤを当該ブックマーク枠に対応付けることを特徴とする（５）の閲覧状況分析サーバ。
上記（６）の閲覧状況分析サーバでは、（５）の閲覧状況分析サーバにおいて特に、前記ブックマーク枠形成部は、形成したブックマーク枠に属する映像コンテンツまたは映像コンテンツに含まれる個別の映像シーンに附帯するメタデータ群のうちの何れか一または複数のメタデータに対応する商品もしくは販促情報または解説情報を選択し、該選択した商品もしくは販促情報または解説情報を表すＩＤを当該ブックマーク枠に対応付ける。
【００２４】
（７）前記ブックマーク枠形成部は、当該ブックマーク枠に対応付けた商品もしくは販促情報または解説情報を表すＩＤに、当該ブックマーク枠に属する映像コンテンツ中または映像コンテンツに含まれる個別の映像シーン中の該当商品もしくは販促情報または解説情報を前記端末装置において強調表示させるための強調表示用メタデータを更に対応付けることを特徴とする（６）の閲覧状況分析サーバ。
上記（７）の閲覧状況分析サーバでは、（６）の閲覧状況分析サーバにおいて特に、前記ブックマーク枠形成部は、当該ブックマーク枠に対応付けた商品もしくは販促情報または解説情報を表すＩＤに、当該ブックマーク枠に属する映像コンテンツ中または映像コンテンツに含まれる個別の映像シーン中の該当商品もしくは販促情報または解説情報を前記端末装置において強調表示させるための強調表示用メタデータを更に対応付ける。
【００２５】
（８）前記ブックマーク枠形成部は、当該ブックマーク枠に属する映像コンテンツまたは映像コンテンツに含まれる個別の映像シーンのメタデータとして、前記端末装置による当該映像コンテンツまたは映像コンテンツに含まれる個別の映像シーンのブックマーク登録ないし閲覧に関係する操作態様を表す端末操作データを含むようにしてブックマーク枠を形成することを特徴とする（５）の閲覧状況分析サーバ。
上記（８）の閲覧状況分析サーバでは、（５）の閲覧状況分析サーバにおいて特に、前記ブックマーク枠形成部は、当該ブックマーク枠に属する映像コンテンツまたは映像コンテンツに含まれる個別の映像シーンのメタデータとして、前記端末装置による当該映像コンテンツまたは映像コンテンツに含まれる個別の映像シーンのブックマーク登録ないし閲覧に関係する操作態様を表す端末操作データを含むようにしてブックマーク枠を形成する。
（９）前記ブックマーク枠形成部は、当該端末操作データとして、前記端末装置による当該映像コンテンツまたは映像コンテンツに含まれる個別の映像シーンの登録回数、登録時期、登録地点、端末装置での登録形態、閲覧回数、閲覧時期、および、閲覧地点の何れかを含むようにしてブックマーク枠を形成することを特徴とする（８）の閲覧状況分析サーバ。
上記（９）の閲覧状況分析サーバでは、（８）の閲覧状況分析サーバにおいて特に、前記ブックマーク枠形成部は、当該端末操作データとして、前記端末装置による当該映像コンテンツまたは映像コンテンツに含まれる個別の映像シーンの登録回数、登録時期、登録地点、端末装置での登録形態、閲覧回数、閲覧時期、および、閲覧地点の何れかを含むようにしてブックマーク枠を形成する。
【００２６】
（１０）前記ブックマーク枠に属するメタデータに基づいてブックマーク枠毎の利用料金を算定する第１の利用料金算定部を備えたことを特徴とする（５）の閲覧状況分析サーバ。
上記（１０）の閲覧状況分析サーバでは、（５）の閲覧状況分析サーバにおいて特に、その第１の利用料金算定部により、前記ブックマーク枠に属するメタデータに基づいてブックマーク枠毎の利用料金を算定する。
【００２７】
（１１）前記ブックマーク枠に関する映像コンテンツまたは映像コンテンツに含まれる個別の映像シーンの登録履歴ないし閲覧履歴に基づいてブックマーク枠毎の利用料金を算定する第２の利用料金算定部を備えたことを特徴とする（５）の閲覧状況分析サーバ。
上記（１１）の閲覧状況分析サーバでは、（５）の閲覧状況分析サーバにおいて特に、その第２の利用料金算定部により、前記ブックマーク枠に関する映像コンテンツまたは映像コンテンツに含まれる個別の映像シーンの登録履歴ないし閲覧履歴に基づいてブックマーク枠毎の利用料金を算定する。
【００２８】
（１２）前記ブックマーク枠形成部は、形成したブックマーク枠に属する映像コンテンツまたは映像コンテンツに含まれる個別の映像シーンに関するブックマーク登録の頻度または閲覧の頻度と既知の相関を有する操作頻度指標を生成することを特徴とする（５）の閲覧状況分析サーバ。
上記（１２）の閲覧状況分析サーバは、（５）の閲覧状況分析サーバにおいて特に、そのブックマーク枠形成部により、形成したブックマーク枠に属する映像コンテンツまたは映像コンテンツに含まれる個別の映像シーンに関するブックマーク登録の頻度または閲覧の頻度と既知の相関を有する操作頻度指標を生成する。
【００２９】
（１３）前記ブックマーク枠形成部が形成したブックマーク枠を、該ブックマーク枠に属する映像コンテンツまたは映像コンテンツに含まれる個別の映像シーンに対し前記操作頻度指標を利用して外部から選択的にアクセス可能に保持するブックマーク枠データベースを備えたことを特徴とする（１２）の閲覧状況分析サーバ。
上記（１３）の閲覧状況分析サーバは、（１２）の閲覧状況分析サーバにおいて特に、そのブックマーク枠データベースに、前記ブックマーク枠形成部が形成したブックマーク枠を、該ブックマーク枠に属する映像コンテンツまたは映像コンテンツに含まれる個別の映像シーンに対し前記操作頻度指標を利用して外部から選択的にアクセス可能に保持する。
【００３０】
（１４）前記ブックマーク枠形成部は、形成したブックマーク枠に属する映像コンテンツまたは映像コンテンツに含まれる個別の映像シーンに対応する地理情報を生成することを特徴とする（５）の閲覧状況分析サーバ。
上記（１４）の閲覧状況分析サーバは、（５）の閲覧状況分析サーバにおいて特に、前記ブックマーク枠形成部は、形成したブックマーク枠に属する映像コンテンツまたは映像コンテンツに含まれる個別の映像シーンに対応する地理情報を生成する。
【００３１】
（１５）前記ブックマーク枠形成部が形成したブックマーク枠を、該ブックマーク枠に属する映像コンテンツまたは映像コンテンツに含まれる個別の映像シーンに対し前記地理情報を利用して外部から選択的にアクセス可能に保持するブックマーク枠データベースを備えたことを特徴とする（１４）の閲覧状況分析サーバ。
上記（１５）の閲覧状況分析サーバは、（１４）の閲覧状況分析サーバにおいて特に、そのブックマーク枠データベースに、前記ブックマーク枠形成部が形成したブックマーク枠を、該ブックマーク枠に属する映像コンテンツまたは映像コンテンツに含まれる個別の映像シーンに対し前記地理情報を利用して外部から選択的にアクセス可能に保持する。
【発明の効果】
【００３２】
ブックマーク登録された映像コンテンツまたは映像コンテンツに含まれる個別の映像シーンに関係するメタデータを効率的に利用して、当該映像コンテンツまたは映像コンテンツに含まれる個別の映像シーンの価値を計ることを可能にする具体的且つ有効な閲覧状況分析システム、端末装置、および、閲覧状況分析サーバが実現される。
【図面の簡単な説明】
【００３３】
【図１】本発明の一つの実施の形態としての閲覧状況分析システムの構成を表す概念図である。
【図２】図１の閲覧状況分析システムにおけるブックマーク枠の形成に係る動作を表すシーケンスチャートである。
【図３】本発明の一つの実施の形態としての端末装置を表す機能ブロック図である。
【図４】本発明の一つの実施の形態としての閲覧状況分析サーバを表す機能ブロック図である。
【図５】本発明の一つの実施の形態としての閲覧状況分析サーバで形成されるブックマーク枠のデータ構造の一例を示す図である。
【図６】図１の閲覧状況分析システムにおけるコンテンツの選択的取得に係る動作を表すシーケンスチャートである。
【発明を実施するための形態】
【００３４】
以下に、図面を参照して本発明の実施の形態について詳述することにより、本発明を明らかにする。
（閲覧状況分析システムの構成）
図１は、本発明の一つの実施の形態としての閲覧状況分析システムの構成を表す概念図である。
図１において、閲覧状況分析システム１００は、端末装置１１０が、閲覧状況分析サーバ１２０、配信管理サーバ１４０、映像データベースサーバ（図中、映像ＤＢサーバと略記）１６０、および、メタデータデータベースサーバ（図中、メタデータＤＢサーバと略記）１７０と、通信網１３０および放送網１５０を通して結ばれて構成されている。
【００３５】
端末装置１１０は、携帯電話機１１１、ＰＤＡ（Personal Digital Assistant）１１２、ノート型パーソナルコンピュータ１１３、および、デスクトップ型パーソナルコンピュータ１１４等複数のものが該当し、これらを総称したものである。何れの端末装置１１０も映像コンテンツの閲覧機能を有する。
映像データベースサーバ１６０は、例えば、ニュース番組やアニメーション等の種々の映像コンテンツとそれらを特定するＩＤ（例えば、＃１、＃２、…等であり、以下、適宜に映像コンテンツＩＤという）を供給可能に保持している。
【００３６】
メタデータデータベースサーバ１７０は、映像コンテンツＩＤに対応するメタデータ（例えば、ニュース番組やアニメーション等に関しては、それらのタイトルもこれに該当する）、および、詳細情報（例えば、特段の注目度を得るような取り扱い方等）を供給可能に保持している。
配信管理サーバ１４０は、配信時間と配信コンテンツリスト（例えば、＃１、＃２、…等のＩＤで表記）の情報に基づいて、映像データベースサーバ１６０およびメタデータデータベースサーバ１７０から映像コンテンツとこれに対応するメタデータを取得し、これらの映像コンテンツとメタデータとを放送網１３０または通信網１５０を通して複数の端末装置１１０（１１１、１１２、１１３、１１４）へ配信する。
【００３７】
閲覧状況分析サーバ１２０は、複数の端末装置１１０（１１１、１１２、１１３、１１４）から映像コンテンツまたは映像コンテンツに含まれる個別の映像シーンの登録または閲覧に関係する情報の提供を受けて端末装置１１０における映像コンテンツまたは映像コンテンツに含まれる個別の映像シーンの登録状況および閲覧状況を分析する。
また、本例の閲覧状況分析システム１００では、閲覧状況分析サーバ１２０にディスプレイ１２１aを備えた制御端末１２１が接続され、閲覧状況分析サーバ１２０による後述する閲覧状況分析結果をこのディスプレイ１２１aに表示可能に構成されている。
尚、本実施の形態における閲覧状況分析システム１００における情報（データ、信号）の伝送路には、より詳細には、有線区間と無線区間の区分や、介在する所要の装置ないし設備の存在がある。しかしながら、本発明の技術思想に言及するについて、上述のような区分や設備の状況を問うものではないため、これらについての特段の解説は省略する。
【００３８】
（閲覧状況分析システムの動作…その１）
次に、図１の閲覧状況分析システムにおけるブックマーク枠の形成に係る動作について、図２のシーケンスチャートを参照して説明する。
この閲覧状況分析システム１００では、閲覧状況分析サーバ１２０が、各端末装置１１０（１１１、１１２、１１３、１１４）から、映像コンテンツまたは映像コンテンツに含まれる個別の映像シーンの登録状況および閲覧状況に関する情報を収集する。
【００３９】
この情報収集に先立って、先ず、閲覧状況分析サーバ１２０は、各端末装置１１０に対して、端末装置におけるブックマーク登録やコンテンツ閲覧等のための操作状況を表す端末操作データの提供の可否を問合せる（Ｓ２０１）。
図示の例の場合は、ステップＳ２０１での問合せに肯定的な応答（端末操作データ送信可能応答）を返す状況を想定している（Ｓ２０２）。
ステップＳ２０２での端末操作データ送信可能応答を受けた閲覧状況分析サーバ１２０は、端末装置１１０に対して、端末操作データ送信動作（そのような動作モード）を起動させる指示を行う（Ｓ２０３）。
【００４０】
一方、既述のように、配信管理サーバ１４０は、配信時間と配信コンテンツリストの情報に基づいて、映像データベースサーバ１６０およびメタデータデータベースサーバ１７０から映像コンテンツとこれに対応するメタデータを取得し、これらの映像コンテンツとメタデータとを放送網１３０または通信網１５０を通して各端末装置１１０へ配信する（Ｓ２０４、Ｓ２０５、Ｓ２０６）。
【００４１】
閲覧状況分析サーバ１２０は、ステップＳ２０３での指示を受けて端末操作データ送信モードで動作するようになっている端末装置１１０に対して、ブックマーク登録操作に関連する所定項目の情報および映像コンテンツ等の閲覧操作に関連する所定項目の情報を提供させる条件である情報提供条件を通知する（Ｓ２０７）。
この情報提供条件は、例えば、ブックマーク登録を行ったこと（ブックマーク登録時点）、コンテンツ等の閲覧を行ったこと（閲覧時点）、その他指定した条件に合致したこと、等々であり、その時点で、端末装置１１０は閲覧状況分析サーバ１２０に対して端末操作データを提供することになる。
【００４２】
ステップＳ２０７で情報提供条件を受けた端末装置１１０は、データ提供のタイミングを既定するそれらの情報提供条件を、自装置に設定する（Ｓ２０８）。
そして、ブックマーク登録操作が行われると（Ｓ２０９：Ｙｅｓ）、端末装置１１０は、そのブックマーク登録操作に対応する映像コンテンツを特定する映像コンテンツＩＤ、その映像コンテンツに附帯するメタデータ等の各該当する一つの端末装置１１０での操作状況を表す１端末操作データを、閲覧状況分析サーバ１２０に提供する（Ｓ２１０）。
【００４３】
また、端末装置１１０において、当該ブックマーク登録した映像コンテンツまたは映像コンテンツに含まれる個別の映像シーンをブックマークにより指定して閲覧する操作が行われると（Ｓ２１１：Ｙｅｓ）、端末装置１１０は、ステップＳ２１０の場合と同様に、上述のような１端末操作データを、閲覧状況分析サーバ１２０に提供する（Ｓ２１２）。
更にまた、端末装置１１０において、上述のような、その他の指定した情報提供条件に合致したときにも（Ｓ２１３：Ｙｅｓ）、端末装置１１０は、ステップＳ２１０の場合と同様に、上述のような１端末操作データを、閲覧状況分析サーバ１２０に提供する（Ｓ２１４）。
【００４４】
ステップＳ２１４までの過程で、上述のような１端末操作データの収集を継続し、該収集されたデータに基づいて、ブックマーク登録を行った端末装置の数、映像コンテンツ等の閲覧を行った端末装置の数が、既定の閾値を超えるに到ったときに（Ｓ２１５：Ｙｅｓ）、閲覧状況分析サーバ１２０は、既述のブックマーク枠を形成する処理を実行する（Ｓ２１６）。尚、ブックマーク枠とその形成処理については、後に他の図面を参照して更に詳述する。
次いで、閲覧状況分析サーバ１２０は、該当するブックマーク枠に属する映像メタデータに対応する販促品（例えば、クーポン）のＩＤを選択し、更に、この販促品ＩＤに対応する表示鳴動メタデータを設定する（Ｓ２１７）。
【００４５】
ここに表示鳴動メタデータとは、このデータに基づいて端末装置に表示鳴動動作を行わせるための制御指令データである。
表示鳴動動作の態様としては、例えば、ブックマークの表示自体に販促品の表示が附帯するような態様や、ブックマークの候補となる商品のサムネイル画像に販促品（例えば、クーポン）の表示を（例えば、部分的に重畳させるなど）関連付けて表示する態様が考えられる。即ち、表示鳴動動作は文字どおり音や振動を伴なうものに限られず、ユーザの注意を喚起させるようなマーク表示やブリンク表示による強調表示の態様を採り得る。
【００４６】
閲覧状況分析サーバ１２０では、更に、ブックマーク枠の登録を実施した端末装置の数、映像コンテンツ等の閲覧を行った端末装置の数、および、ブックマークによって特定された映像コンテンツの配信を行ってからの経過時間に基づいて、ブックマーク枠毎の利用料金（請求額）を算定する（Ｓ２１８）。
閲覧状況分析サーバ１２０は、また、ステップＳ２１７で対応関係を設定した、映像コンテンツＩＤ、販促品ＩＤ、および、表示鳴動メタデータを端末装置１１０に向けて配信する（Ｓ２１９）。この配信は、端末装置１１０における別段の操作によらず閲覧状況分析サーバ１２０側から送出する、所謂プッシュ型配信の態様を採る。しかしながら、本発明の技術思想において、ステップＳ２１９の配信がプッシュ型配信にのみ限られる趣旨ではない。
【００４７】
ステップＳ２１９での配信を受けた端末装置１１０が、映像コンテンツＩＤ、上述のような１端末操作データ、販促品ＩＤ、および、利用履歴（例えば、クーポンを利用した日時や店舗名等）を、閲覧状況分析サーバ１２０に提供する（Ｓ２２０）。
ステップＳ２２０での各情報（データ）の提供を受けた閲覧状況分析サーバ１２０は、その利用履歴のデータに基づいて、該当するブックマーク枠の利用料金（請求額）を算定する（Ｓ２２１）。
以上、ステップＳ２１８、および、ステップＳ２２１で各算定されたブックマーク枠の利用料金（請求額）は、閲覧状況分析サーバ１２０内に蓄積され、この閲覧状況分析サーバ１２０に接続されている制御端末１２１（図１参照）においてそのディスプレイ１２１aに所要に応じて表示される。
【００４８】
（端末装置の構成）
図３は、本発明の一つの実施の形態としての端末装置を表す機能ブロック図である。端末装置１１０は、図１を参照して説明した閲覧状況分析システム１００に適用されるものである。
この端末装置１１０は、既述のように、携帯電話機１１１、ＰＤＡ１１２、ノート型パーソナルコンピュータ１１３、および、デスクトップ型パーソナルコンピュータ１１４等複数のものの総称である。しかしながら、本発明の実施の形態としてのこれらの端末装置１１０（１１１、１１２、１１３、１１４）は、それらの要部における機能ブロック図上の構成としては、等しく、図３におけるような形態を採る。
【００４９】
図３に示されたように、端末装置１１０は、端末受信部３１１、端末通信部３１２、映像閲覧再生部３２０、ブックマーク登録操作部３３０、ブックマークコンテンツ閲覧操作部３４０、情報提供条件該当識別部３５０、情報提供制御部３６０、および、表示部３７０を備えている。
また、端末受信部３１１は、外部から放送を受信し、また、端末通信部３１２は、外部との通信を行う。
【００５０】
更に、映像閲覧再生部３２０は、端末受信部３１２を通して放送網１５０側から提供され、または、端末通信部３１２を通して通信網１３０側から提供される映像コンテンツまたは映像コンテンツに含まれる個別の映像シーンを再生してこれらの閲覧を可能にする。尚、本実施の形態では、閲覧対象である映像コンテンツまたは映像コンテンツに含まれる個別の映像シーンの選択は、これら閲覧対象に対するアクセスやブックマーク登録の頻度などの操作の頻度に相応する操作頻度指標（後述）を利用して行うことができる。
【００５１】
また、同様に、閲覧やブックマーク登録の対象とされた映像コンテンツまたは映像コンテンツに含まれる個別の映像シーンに対応する地理情報（後述）を利用してこれらの選択を行うことができる。このように操作頻度指標や地理情報に依拠して、膨大な種類の映像コンテンツに含まれる膨大な量の情報からユーザの所望ものを比較的容易に選択することが可能である。
更にまた、ブックマークコンテンツ閲覧操作部３３０は、当該ブックマーク登録した映像コンテンツまたは映像コンテンツに含まれる個別の映像シーンをブックマークにより指定して閲覧する操作を可能にする。
【００５２】
また、ブックマークコンテンツ閲覧操作部３４０は、当該ブックマーク登録した映像コンテンツまたは映像コンテンツに含まれる個別の映像シーンをブックマークにより指定して閲覧する操作を可能にする。
更に、情報提供条件該当識別部３５０は、自装置が既定の情報提供条件に該当する状況にあるか否かを識別する。
更にまた、情報提供制御部３６０は、情報提供条件該当識別部３５０が該情報提供条件に該当することを識別したときには映像コンテンツまたは映像コンテンツに含まれる個別の映像シーンのブックマーク登録状況および閲覧状況に関係する所定項目の情報を端末通信部３１２を通して既述の閲覧状況分析サーバ１２０に提供する。
【００５３】
尚、情報提供制御部３６０は、その一つの態様として、上述のような１端末操作データにより表された当該登録操作の実行状況および当該閲覧操作の実行状況の少なくとも何れかの実行状況に係る映像コンテンツまたは映像コンテンツに含まれる個別の映像シーンに附帯するメタデータ群を上述の所定項目のうちの他の一の情報として端末通信部３１２を通して閲覧状況分析サーバ１２０に提供するように構成される。
また、表示部３７０は、この端末装置１１０における各所要の表示を行う。映像コンテンツまたは映像コンテンツに含まれる個別の映像シーンの閲覧表示もこの表示部３７０上に表示される。
【００５４】
（閲覧状況分析サーバの構成）
図４は、本発明の一つの実施の形態としての閲覧状況分析サーバを表す機能ブロック図である。
閲覧状況分析サーバ１２０は、図１を参照して説明した閲覧状況分析システム１００に適用されるものである。
この閲覧状況分析サーバ１２０は、図４に示されたように、サーバ通信部４１０、情報提供条件通知部４２０、ブックマーク枠形成部４３０、第１の利用料金算定部４４１、第２の利用料金算定部４４２、および、ブックマーク枠データベース４５０を備えている。
サーバ通信部４１０は、これを通して閲覧状況分析サーバ１２０が外部との通信を行うための機能部である。
【００５５】
また、情報提供条件通知部４２０は、端末装置１１０に、ブックマーク登録操作に関連する所定項目の情報および前記閲覧操作に関連する所定項目の情報を提供させる条件である情報提供条件を、該当する端末装置１１０に通知する。
更に、ブックマーク枠形成部４３０は、端末装置１１０から提供された所定項目の情報を分析し端末装置１１０で登録された各ブックマークにそれぞれ対応する映像コンテンツまたは映像コンテンツに含まれる個別の映像シーンの各一連のメタデータ群としての各個のブックマーク枠をそれぞれ形成する。
【００５６】
また、この場合、ブックマーク枠形成部４３０は、形成したブックマーク枠に属する映像コンテンツまたは映像コンテンツに含まれる個別の映像シーンに附帯するメタデータ群のうちの何れか一または複数のメタデータに対応する商品もしくは販促情報（例えば、電子クーポンの発行に関する情報等）または解説情報を選択し、該選択した商品もしくは販促情報または解説情報を表すＩＤを当該ブックマーク枠に対応付ける。
【００５７】
更にまた、ブックマーク枠形成部４３０は、当該ブックマーク枠に対応付けた商品もしくは販促情報または解説情報を表すＩＤに、当該ブックマーク枠に属する映像コンテンツ中または映像コンテンツに含まれる個別の映像シーン中の該当商品もしくは販促情報または解説情報を前記端末装置において強調表示させるための強調表示用メタデータを更に対応付ける。この強調表示用メタデータの一例が、図２のシーケンスチャート（ステップＳ２１７）を参照して既述の表示鳴動メタデータである。
【００５８】
また、ブックマーク枠形成部４３０は、当該ブックマーク枠に属する映像コンテンツまたは映像コンテンツに含まれる個別の映像シーンのメタデータとして、端末装置１１０による当該映像コンテンツまたは映像コンテンツに含まれる個別の映像シーンのブックマーク登録ないし閲覧に関係する操作態様を表す端末操作データを含むようにしてブックマーク枠を形成する。この端末操作データの一例が、図２のシーケンスチャート（ステップＳ２１０、Ｓ２１２、Ｓ２１４、Ｓ２２０）を参照して既述の１端末操作データである。
そして、ブックマーク枠形成部４３０は、上述の端末操作データとして、端末装置１１０による当該映像コンテンツまたは映像コンテンツに含まれる個別の映像シーンの登録回数、登録時期、登録地点、端末装置１１０での登録形態、閲覧回数、閲覧時期、および、閲覧地点の何れかを含むようにしてブックマーク枠を形成する。
【００５９】
一方、第１の利用料金算定部４４１は、図２のシーケンスチャートにおけるステップＳ２１８の処理を実行する。即ち、ブックマーク枠の登録を実施した端末装置の数、映像コンテンツ等の閲覧を行った端末装置の数、および、ブックマークによって特定された映像コンテンツの配信を行ってからの経過時間に基づいて、ブックマーク枠毎の利用料金（請求額）を算定する。上述のように第１の利用料金算定部４４１で算定された利用料金（請求額）のデータは、閲覧状況分析サーバ１２０における所定の記憶手段に外部からアクセス可能に格納される。
【００６０】
また、第２の利用料金算定部４４２は、図２のシーケンスチャートにおけるステップＳ２２１の処理を実行する。即ち、利用履歴のデータに基づいて、該当するブックマーク枠の利用料金（請求額）を算定する。上述のように第２の利用料金算定部４４２で算定された利用料金（請求額）のデータは、閲覧状況分析サーバ１２０における所定の記憶手段に外部からアクセス可能に格納される。
既述のように、これらアクセス可能に格納されているブックマーク枠の利用料金は、この閲覧状況分析サーバ１２０に接続されている制御端末１２１（図１参照）においてそのディスプレイ１２１aに所要に応じて表示される。
【００６１】
一方、この実施の形態では特に、ブックマーク枠形成部４３０は、形成したブックマーク枠に属する映像コンテンツまたは映像コンテンツに含まれる個別の映像シーンに関するブックマーク登録の頻度または閲覧の頻度と既知の相関を有する操作頻度指標を生成する。この操作頻度指標とは、例えば、一定の期間中におけるブックマーク登録や閲覧の頻度に関するランキングや一定の期間中におけるブックマーク登録や閲覧の映像メタデータ種別毎の頻度等がこれに該当する。
また、上述の実施の形態における操作頻度指標の生成とは別に、または、操作頻度指標の生成に加えて更に、地理情報を生成する形態を採ってもよい。
この地理情報とは、例えば、該当する地域ないし地点、或いはまた、関連する地域ないし地点等を表す情報がこれに該当する。
【００６２】
そして、ブックマーク枠データベース４５０は、ブックマーク枠形成部４３０が形成したブックマーク枠を、該ブックマーク枠に属する映像コンテンツまたは映像コンテンツに含まれる個別の映像シーンに対し上述の操作頻度指標を利用して外部の端末装置等から選択的にアクセス可能な形態で保持する。
また、上述の地理情報を生成する形態を採る場合には、操作頻度指標とは別に、或いは、操作頻度指標と共に地理情報を利用して外部の端末装置等から選択的にアクセス可能な形態で、ブックマーク枠形成部４３０が形成したブックマーク枠を保持する。
【００６３】
図５は、本発明の一つの実施の形態としての閲覧状況分析サーバで形成されるブックマーク枠のデータ構造の一例を示す図である。
図５に表記のデータ構造は、ブックマーク枠ＩＤが＃１のデータに関するものである。このブックマーク枠ＩＤ＃１のデータは、映像ＩＤが＃１の映像コンテンツに対応するものである。図５の「映像ＩＤまたは映像メタデータ種別」欄における縦方向に区分された一連の各行に、この映像ＩＤのメタデータの種別が上から下に順次列記されている。この欄では、図示のとおり、上から下に、１番目が「チャンネル」、２番目が「放送網」、３番目が「タイトル」、………………、１３番目が「製作会社」というように映像メタデータ種別（属性）のデータが配されている。
【００６４】
「映像ＩＤまたは映像メタデータ種別」欄の右に隣接する「映像ＩＤまたは映像メタデータの値」欄における縦方向に区分された一連の各行に、「映像ＩＤまたは映像メタデータ種別」欄に列記された映像メタデータ種別に対応する内容（値）のデータが配されている。
上述の「映像ＩＤまたは映像メタデータの値」欄より右側の各欄は、最上段に「操作データ」と横断的に表記されたように、端末装置１１０から提供される各データである。図示のとおり、この「操作データ」として、左から右へと列記されたように「登録を実施した端末の数」、「登録形態数」、「登録時刻の多い時間帯」、「登録した時刻の端末の位置情報の多いエリア」、「閲覧を実施した端末の数」、「閲覧形態数」、「閲覧した平均回数」、「閲覧した平均時間、「閲覧時刻の多い時間帯」、「閲覧した時刻の端末の多いエリア」の各項目のデータが、既述の縦欄の各事項と共に、縦横のマトリクスを成す如くに配される。尚、このマトリクス状の各欄においてｎ／ａと表記の箇所は、該当するデータが存在しないことを表している。
【００６５】
図５に例示したようなブックマーク枠のデータに依拠して、映像コンテンツ（図５の例では映像ＩＤが＃１である映像コンテンツ）に関する販促効果等を推定して、図４を参照して説明した閲覧状況分析サーバ１２０の第１の利用料金算定部４４１で、このブックマーク枠のデータの利用許諾に関する料金を算定する。
この料金算定に際して、該当する映像コンテンツまたは映像コンテンツに含まれる個別の映像シーンに対応付ける電子ブックマーク等の割り当て方や、放送としてオンエアするに効果的な時間帯等を決定するに資するときの当否の程度等も所要に応じて考慮する。
【００６６】
尚、これに対し、閲覧状況分析サーバ１２０の第２の利用料金算定部４４２におけるブックマーク枠のデータの利用許諾に関する料金を算定は、例えば、販促品である電子クーポンの利用実績等の実績データに基づいて算定処理が実行される。
即ち、第１の利用料金算定部４４１におけるブックマーク枠データの利用許諾に関する料金算定は、販促等の実績を待たずに評価する、謂わば、前払いの料金の設定を可能にするものである。これに対し、第２の利用料金算定部４４２におけるブックマーク枠データの利用許諾に関する料金算定は、販促等の実績に応じて評価する、謂わば、後払いの料金の設定を可能にするものである。
【００６７】
（閲覧状況分析システムの動作…その２）
図６は、図１の閲覧状況分析システムにおけるコンテンツの選択的取得に係る動作を表すシーケンスチャートである。この図６、および、図６を参照しての説明では、簡潔に表記するために、「操作頻度指標のデータ、および／または、地理情報のデータ」について、単に「操作頻度指標のデータ」としている。ここに「地理情報」の意は既述のとおりである。
端末装置１１０は、既述のようにブックマーク枠データベース部４５０に保持されている操作頻度指標のデータを、閲覧状況分析サーバ１２０に要求する（Ｓ６０１）。
【００６８】
閲覧状況分析サーバ１２０は、ステップＳ６０１の要求に応答して操作頻度指標のデータを端末装置１１０に供給する（Ｓ６０２）。
ステップＳ６０２で、操作頻度指標のデータを受けた端末装置１１０では、ユーザの操作に基づいてその映像閲覧再生部３２０等により、視聴を所望する映像コンテンツまたは映像コンテンツに含まれる個別の映像シーンを選択する（Ｓ６０３）。
ステップＳ６０３での選択操作に基づいて、端末装置１１０は閲覧状況分析サーバ１２０に当該選択した映像コンテンツまたは映像コンテンツに含まれる個別の映像シーンを要求する（Ｓ６０４）。
ステップＳ６０４での要求を受けた閲覧状況分析サーバ１２０は、この要求を配信管理サーバ１４０に転送する（Ｓ６０５）。
【００６９】
一方、図２を参照して既述のように、配信管理サーバ１４０は、配信時間と配信コンテンツリストの情報に基づいて、映像データベースサーバ１６０およびメタデータデータベースサーバ１７０から映像コンテンツとこれに対応するメタデータを取得している（Ｓ６０５、Ｓ６０６）。
配信管理サーバ１４０はステップＳ６０５およびＳ６０６で取得しているコンテンツのうち、ステップＳ６０５で受けた要求に対応する映像コンテンツまたは映像コンテンツに含まれる個別の映像シーンを端末装置１１０に供給する（Ｓ６０８）。
【００７０】
図６を参照して説明した実施の形態によれば、端末装置１１０側で一般的に取得可能な膨大な数（種類）の映像コンテンツまたは映像コンテンツに含まれる個別の映像シーンのうちから、上述のように操作頻度指標に依拠して、容易に選択して取得することが可能になる。この場合、既述のように、操作頻度指標とは、例えば、一定の期間中におけるブックマーク登録や閲覧の頻度に関するランキングや一定の期間中におけるブックマーク登録や閲覧の映像メタデータ種別毎の頻度等がこれに該当するものである。従って、このような操作頻度指標に依拠して選択すれば世間の時流に乗った最新の動向に合致した映像コンテンツまたは映像コンテンツに含まれる個別の映像シーンを選択することができる。
【００７１】
また、上述のように、図６における「操作頻度指標のデータ」は「操作頻度指標のデータ、および／または、地理情報のデータ」の意であり、この地理情報に依拠して現在地や住居から地理的に近い情報を含む映像コンテンツまたは映像コンテンツに含まれる個別の映像シーンを選択することができる。
【産業上の利用可能性】
【００７２】
上述のように、ある種の商品価値（販促効果の価値）という一定の視点から見た価値を評価可能なブックマーク枠は、例えば、その存在を知る関係当事者間で有償譲渡の目的とされ得る。従って、このような価値を有するブックマーク枠の形成、評価（価値の算定）を行うような本発明の閲覧状況分析システム、端末装置、閲覧状況分析サーバは、一定の品質を持ち取引の目的物とされる有体物の生産に類する産業上の利用可能性を有する。
【符号の説明】
【００７３】
１００………………閲覧状況分析システム
１１０………………端末装置
１１１………………携帯電話機
１１２………………ＰＤＡ
１１３………………ノート型パーソナルコンピュータ
１１４………………デスクトップ型パーソナルコンピュータ
１２０………………閲覧状況分析サーバ
１２１………………制御端末
１３０………………通信網
１４０………………配信管理サーバ
１５０………………放送網
１６０………………映像データベースサーバ
１７０………………メタデータデータベースサーバ
３１１………………端末受信部
３１２………………端末通信部
３２０………………映像閲覧再生部
３３０………………ブックマーク登録操作部
３４０………………ブックマークコンテンツ閲覧操作部
３５０………………情報提供条件該当識別部
３６０………………情報提供操作部
３７０………………表示部
４１０………………サーバ通信部
４２０………………情報提供条件通知部
４３０………………ブックマーク枠形成部
４４１………………第１の利用料金算定部
４４２………………第２の利用料金算定部
【図１】
2010286970.tif 000003
【図２】
2010286970.tif 000004
【図３】
2010286970.tif 000005
【図４】
2010286970.tif 000006
【図５】
2010286970.tif 000007
【図６】
2010286970.tif 000008